(57)【要約】【課題】操作摘みの周囲を光表示するについて横から見やすく、また正面からでも見やすくできるようにする。【解決手段】操作パネル５に、該操作パネル５から手前側に突出する形態で回転操作可能に設けられた調理メニュー選択摘み６を備え、この調理メニュー選択摘み６は、外周面が前記操作パネル５側から手前側に向けて広がる形状の広がり部６ｃを有するとともに、該広がり部６ｃに反射部１３を有し、前記操作パネル５裏側に、該操作パネル５側から前記反射部１３に光を当て該調理メニュー選択摘み６周囲部分を光表示するためのＬＥＤ１４、１５を設けた。【選択図】図１
2009014235.tif 000002
【特許請求の範囲】
【請求項１】
操作パネルに、該操作パネルから手前側に突出する形態で回転操作可能に設けられた操作摘みを備え、
この操作摘みは、外周面に前記操作パネル側から手前側に向けて広がる形状の広がり部を有するとともに、該広がり部に反射部を有し、
前記操作パネル裏側に、該操作パネル側から前記反射部に光を当て該操作摘み周囲部分を光表示するための光源を設けたことを特徴とする加熱調理器。
【請求項２】
前記光源は、複数あって、前記操作摘みとほぼ同心的にほぼリング状配置形に設けられていることを特徴とする請求項１に記載の加熱調理器。
【請求項３】
前記操作摘みの広がり部は、断面曲線状をなして前記操作パネル側から手前側に向けて広がる形状であることを特徴とする請求項１又は２に記載の加熱調理器。
【請求項４】
前記操作摘みの中央部に押圧操作部を設けたことを特徴とする請求項１ないし３のいずれかに記載の加熱調理器。
【請求項５】
前記押圧操作部を透光可能に構成し、且つ該押圧操作部の前面には一部を除いて光遮蔽部を設け、該押圧操作部の前面の光遮蔽部以外の部位から光を出すように構成したことを特徴とする請求項４に記載の加熱調理器。
【請求項６】
前記操作摘みの回転操作に基づいて選択対象を選択し、選択された選択対象を前記押圧操作部の押圧操作に基づいて決定するようにしたことを特徴とする請求項４又は５に記載の加熱調理器。
【請求項７】
前記選択対象の選択時と決定時とで光表示形態を異ならせたことを特徴とする請求項６に記載の加熱調理器。
【請求項８】
前記選択対象の選択時に、当該選択の進行状況に応じて光表示形態を異ならせたことを特徴とする請求項６又は７に記載の加熱調理器。
【請求項９】
前記操作摘みの初期回転方向に応じて選択対象を異ならせ、且つ、光表示形態を異ならせたことを特徴とする請求項１ないし８のいずれかに記載の加熱調理器。
【請求項１０】
選択対象選択時、調理動作時、調理終了時のいずれか又は全部において光表示形態を異ならせたことを特徴とする請求項１ないし９のいずれかに記載の加熱調理器。
【発明の詳細な説明】
【技術分野】
【０００１】
本発明は、操作摘みの周囲を光表示するようにした加熱調理器に関する。
【背景技術】
【０００２】
従来の加熱調理器では、調理メニューや加熱時間などの調理条件を設定する操作摘みの周囲を光らせるように構成することが考えられている。この構成において、次に操作すべき操作摘みの周囲を光らせる（光表示）ことにより、ユーザが当該操作摘みを視覚的に認識し易くなり、操作性の向上を図ることができる。
【０００３】
例えば、特許文献１及び特許文献２に記載の加熱調理器は、操作パネルにおける操作摘みの周囲に出光部を設け、この出光部から発光ダイオードの光を外へ直接放光するようにしている。
【特許文献１】特開２００４−１９８０７６号公報
【特許文献２】特許第３８２６１１２号公報
【発明の開示】
【発明が解決しようとする課題】
【０００４】
上記従来のものでは、操作摘みの周囲の操作パネル面に平面状の出光部がほぼ面一に設けられていて、正面を向いているのみであり、横からは見難いものであった。また、出光部からの光が直接的に放出されるから、正面から見ると、光が直接的に目に入る。このため、光を柔らかくするためにシボ加工や着色フィルタを用いることも必要な場合があった。
【０００５】
本発明は上述の事情に鑑みてなされたものであり、その目的は、操作摘みの周囲を光表示するについて横から見やすく、また正面からでも見やすくできる加熱調理器を提供することにある。
【課題を解決するための手段】
【０００６】
請求項１の発明は、操作パネルに、該操作パネルから手前側に突出する形態で回転操作可能に設けられた操作摘みを備え、この操作摘みは、外周面に前記操作パネル側から手前側に向けて広がる形状の広がり部を有するとともに、該広がり部に反射部を有し、前記操作パネル裏側に、該操作パネル側から前記反射部に光を当て該操作摘み周囲部分を光表示するための光源を設けたところに特徴を有する。
【０００７】
この請求項１の発明においては、操作摘みの外周面の反射部に対して、光源からの光が当たって反射し周囲に拡散するようになる。この拡散光は、操作摘みの周囲（横方向から前方向にかけて）を柔らかく光表示することになる。この結果、操作摘みの周囲を光表示するについて横から見ることができるとともに、また正面からでも見ることができしかも柔らかい光表示となって見やすくできる。
【発明の効果】
【０００８】
本発明によれば、操作摘みの周囲を光表示するについて横から見ることができるとともに、また正面からでも見ることができしかも柔らかい光表示となって見やすくできる。
【発明を実施するための最良の形態】
【０００９】
以下、本発明の第１の実施形態について図１ないし図６を参照して説明する。
図２に示すように、加熱調理器１の外郭を構成する矩形状のキャビネット２内には、前面が開口した矩形状の加熱室（図示せず）が設けられていて、当該加熱室内に調理物を収容可能となっている。キャビネット２の前面には、扉３が下部を中心として上下方向に回動するように枢設されていて、加熱室の開口を開閉するようになっている。この扉３の内面は、複数の孔を有する金属板（図示せず）で覆われており、窓部４を介して加熱室の内部を視認できるようになっている。また、扉３の下部には、操作パネル５が設けられている。
【００１０】
この操作パネル５の略中央部には、本発明の操作摘みに相当する調理メニュー選択摘み６、手動調理選択摘み７、スタートボタン８、取消ボタン９、ディスプレイ１０が設けられている。
前記調理メニュー選択摘み６については後述する。
前記手動調理選択摘み７は回転操作可能に設けられており、この手動調理選択摘み７は「レンジ調理」、「オーブン調理」、「グリル調理」、「スチーム調理」といった加熱形態が異なる手動調理を選択するためのものである。
【００１１】
前記スタートボタン８は、押圧操作されるようになっており、選択対象である調理メニューや手動調理が選択された後、加熱調理を開始するためのものである。前記取消ボタン９は上記選択事項の取消しなどを行うものである。前記ディスプレイ１０は表示手段たるもので、例えば液晶型ディスプレイから構成されている。
【００１２】
前記調理メニュー選択摘み６及びその周辺部の構成について説明する。図１において、操作パネル５には、調理メニュー選択摘み６を配置するための配置孔５ａが形成されている。操作パネル５の裏面側には、配線基板１１が取り付けられており、この配線基板１１には、前記配置孔５ａと対向する位置に調理メニュー用ロータリーエンコーダ１２が設けられている。この調理メニュー用ロータリーエンコーダ１２は、回転部１２ａと固定部１２ｂとからなり、固定部１２ｂには回転部１２ａの回転角度を検出して信号を出力するセンサ部（図示せず）が設けられている。
【００１３】
前記調理メニュー選択摘み６は、その基端部６ａが前記配置孔５ａを通して前記調理メニュー用ロータリーエンコーダ１２の回転部１２ａに嵌合固定されている。これにより、該調理メニュー選択摘み６の回転角度は該調理メニュー用ロータリーエンコーダ１２により検出するようになっている。
【００１４】
該調理メニュー選択摘み６は、平面的に見て円形をなしており、図１において基端部６ａの上部には摘み本体部６ｂが形成されており、この摘み本体部６ｂは、前記前記操作パネル５の配置孔５ａから図２における手前側へ突出している。この摘み本体部６ｂは外周面に、操作パネル５側から図２での手前側に向けて広がる形状の広がり部６ｃを有している。この広がり部６ｃは、横から見て断面円弧形の曲線状をなしている。
【００１５】
この摘み本体部６ｂの外周面のうち先端部（最手前部）には、先すぼみ部６ｄが形成されている。
前記広がり部６ｃには、反射部１３を有している。この反射部１３は例えば金属の蒸着やめっきにより形成されている。この反射部１３としては、反射塗料を塗装しても良いし、反射性の高い樹脂フィルムを貼り付けても良い。
またこの調理メニュー選択摘み６は、先端面がカバー部材６ｅにより閉塞されている。
前記配線基板１１には、前記調理メニュー選択摘み６の基端部６ａ近傍部位に光源たる発光ダイオード（以下、ＬＥＤという）１４、１５が配設されている。
【００１６】
このＬＥＤ１４、１５は、導光部材１６とで光供給部１７を構成している。導光部材１６は、図３にも示すように、平面的に見て円環状をなしており、入光部である下面部１６ａは、前記ＬＥＤ１４、１５と対向している。この導光部材１６の上部には、リブ状に立ち上がる出光部１６ｂが形成されている。この出光部１６ｂは先端部が円弧凸状をなしている。該導光部材１６は、上記出光部１６ｂが前記配置孔５ａに操作パネル５裏側から挿入配置された形態で操作パネル５裏側に固定されており、この状態で、前記出光部１６ｂが前記調理メニュー選択摘み６の反射部１３の基端側近傍に位置している。
【００１７】
この場合、この調理メニュー選択摘み６部分を正面から見ると、前記出光部１６ｂは調理メニュー選択摘み６から隠れて位置する構成となっている。
前記ＬＥＤ１４、１５が発光すると、図１に矢印で示すように、導光部材１６の下面部１６ａから導光部材１６の内部に入光し、出光部１６ｂ全周から出光する。この出光した光が、前記調理メニュー選択摘み６の広がり部６ｃの反射部１３で反射され拡散する。
【００１８】
従って、図５に示すように、調理メニュー選択摘み６の周囲部分が柔らかく光り、すなわち光表示部（放射状の線で示す）Ｈが現出する。
図４には、本実施例の加熱調理器１の電気的構成を示している。
前記調理メニュー用ロータリーエンコーダ１２は、前記調理メニュー選択摘み６の回転角度に応じた信号を出力して制御装置１８に与える。手動調理用ロータリーエンコーダ７Ａは、前記手動調理選択用摘み７の回転角度を検出するものであり、その回転角度に応じた信号を出力して制御装置１８に与える。スタートスイッチ８Ａは前記スタートボタン８の押圧操作に応じてオンするもので、そのオン信号は制御装置１８に与えられる。
【００１９】
取消スイッチ９Ａは前記取消ボタン９の押圧操作に応じてオンするもので、そのオン信号は制御装置１８に与えられる。
マグネトロン１９はキャビネット２内の図示しない機械室に配設されていて、マイクロ波を発生して「レンジ調理」を行うためのものである。ヒータ２０は前記図示しない加熱室の天井部に設けられていて、「グリル調理」を行うためのものである。熱風発生装置２１は、前記加熱室の背板裏側に設けられており、加熱室内に温風を循環供給させて「オーブン調理」を行うためのものである。スチーム発生装置２２は、加熱室の側板裏側に設けられていて、高温蒸気を発生して「スチーム調理」を行うためのものである。
【００２０】
前記制御装置１８は、制御手段たるものであり、ＣＰＵ、ＲＯＭ、ＲＡＭを備えたマイクロコンピュータを含んで構成されており、予め記憶された加熱制御プログラムを実行することにより、前記ＬＥＤ１４、１５、ディスプレイ１０、マグネトロン１９、ヒータ２０、熱風発生装置２１、スチーム発生装置２２を制御する。
またこの制御装置１８は、前記調理メニュー選択摘み６の回転操作（調理メニュー用ロータリーエンコーダ１２の回転角度検出信号）に応じて、前記ＬＥＤ１４、１５、ディスプレイ１０を制御する共に、調理メニューを選択する。
【００２１】
図６には、調理メニュー選択摘み６の回転操作に関連する制御装置１８の制御内容を示している。この図６において、調理メニュー選択摘み６が回転操作されると（ステップＳ１で判断）、制御装置１８は、ＬＥＤ１４、１５を点灯（発光）させる（ステップＳ２）。そして、調理メニュー選択摘み６の回転角度に応じて、調理メニューを選択して、ディスプレイ１０に表示させる（ステップＳ３）。この場合、調理メニューとしては、「からっとあたため」、「鶏のから揚げ」、「おかゆ」、「グラタン」、「肉・魚の蒸しもの」、「ゆで野菜」、「春巻き」、「ハンバーグ」など多数の調理メニューがある。この場合、制御装置１８は、ディスク１９に、現時点で選択している調理メニューとその前後順位の調理メニューを表示させるようになっており、選択している調理メニューと他の調理メニューと区別表示している（例えば明るさや色を変えている）。
【００２２】
この後スタートボタン８が押圧操作されると（ステップＳ４で判断）、ステップＳ５に移行して、現時点で選択されている調理メニューについての加熱調理を実行する。そして、調理終了が判断されると（ステップＳ６）、この制御を終了する。
【００２３】
このような本実施例によれば、前記ステップＳ２において、ＬＥＤ１４、１５が点灯されると、既述したように、導光部材１６を通して出光部１６ｂ全周から出光し、前記調理メニュー選択摘み６の広がり部６ｃの反射部１３で反射され拡散し、調理メニュー選択摘み６の周囲部分（反射部１３や該摘み６近くの操作パネル５部分）に反射光及び拡散光による光表示部Ｈが現出する。従って、光表示部Ｈを横から見ることができるとともに、正面からでも見ることができしかも柔らかい光表示となって見やすい。なお、本実施例においては、出光部１６ｂが配置孔５ａから操作パネル５外に若干突出しているので、横から見るときには、この出光部１６ｂも光表示部Ｈの一部として見えて視認性がさらに良くなる。特に該出光部１６ｂの先端部が円弧凸状をなすから、光の拡散が良くて、反射部  全域に光が当たり、該反射部１３からの光の拡がりが良い。
【００２４】
また本実施例によれば、前記調理メニュー選択摘み６の広がり部６ｃを、曲線状をなして前記操作パネル５側から手前側に向けて広がる構成としたから、反射部１３自体が曲線状をなし、光の反射方向に変化をもたせることができ、光表示の反射光強度に変化をもたせることができる。
【００２５】
図７ないし図１１は本発明の第２の実施例を示し、次の点が第１の実施例と異なる。光源として６個のＬＥＤ３１〜３６を設けている。この場合、図８に示すようにほぼ均等間隔に調理メニュー選択摘み６とほぼ同心的にリング状に設けている。そして導光部材１６には各ＬＥＤ３１〜３６間を仕切る光遮蔽部１６ｋが設けられている。そして、制御装置１８は調理メニュー選択摘み６の回転操作に応じて前記ＬＥＤ３１〜３６及びディスプレイ１０を図９及び図１０に示すように制御する。
【００２６】
図９においては、ステップＴ１では調理メニュー選択摘み６の回転操作に応じた表示・選択制御を行う。これの内容を図１０にサブルーチンとして示している。この図１０において、選択対象である調理メニュー群の選択進行状況に応じてＬＥＤ３１〜３６の点灯制御とディスプレイ１０の表示制御を行う。ステップＵ１では、全選択対象の選択進行状況が全体の１／６であるか否かを判断し、１／６であれば、ＬＥＤ１つ（ＬＥＤ３１）を点灯させ（ステップＵ２）、ディスプレイ１０にこの時点での選択されている調理メニューを表示する（ステップＵ３）。
ここで前記ステップＵ２における光表示形態を図１１（ａ）に示している。この図１１（ａ）から分かるように、調理メニュー選択摘み６の周囲の１／６領域が表示されている。
【００２７】
以下、ステップＵ４で選択進行状況が全体の１／６超〜２／６以下であることが判断されると、ＬＥＤ２つ（ＬＥＤ３１、３２）を点灯させ（ステップＵ５、図１１（ｂ）参照）、ディスプレイ１０にこの時点での選択されている調理メニューを表示する（ステップＵ６）。以下、同様にして、ステップＵ７、ステップＵ１０、ステップＵ１３、ステップＵ１６の「ＹＥＳ」、「ＮＯ」に応じて、適宜ステップＵ８、ステップＵ９、ステップＵ１１、ステップＵ１２、ステップＵ１４、ステップＵ１５、ステップＵ１７、ステップＵ１８が実行される。なお、ステップＵ８、ステップＵ１１、ステップＵ１４、ステップＵ１７の表示形態をそれぞれ図１１（ｃ）、（ｄ）、（ｅ）、（ｆ）に示している。
【００２８】
なお、図９のステップＴ２で、スタートボタン８の操作によってスタートスイッチ８Ａがオンされれば、ステップＴ３に移行して、この時点で選択されている調理メニューについて加熱調理を実行する。この後加熱調理終了が判断されれば、加熱調理を終了する。
この第２の実施例によれば、ＬＥＤ３１〜３６が、前記調理メニュー選択摘み６とほぼ同心的にほぼリング状配置形に設けられているから、ＬＥＤ３１〜３６を順番に点灯させたり、リング状に点灯させたり、種々の表示形態を得ることができて視覚的にさらに認識し易くなり、操作性の向上に寄与できる。
【００２９】
また、この第２の実施例によれば、前記調理メニューの選択時に、当該選択の進行状況に応じて光表示形態を異ならせたから、多くの調理メニューの中から１つのメニューを検索して選択する場合、当該選択進行状況（どのくらい調理メニューの検索が済んだかなど）を光表示形態で知ることが可能となり、視覚的に分かりやすい。
【００３０】
また、この実施例によれば、前記調理メニューの選択時に、当該選択の進行状況に応じて光表示形態を異ならせたから、多くの調理メニューの中から１つの調理メニューを検索して選択する場合、当該選択進行状況（どのくらい調理メニューの検索が済んだかなど）を光表示形態で知ることが可能となり、視覚的に分かりやすい。
【００３１】
図１２ないし図１６は本発明の第３の実施例を示しており、第２の実施例とは次の点が異なる。ＬＥＤ３１〜３６は、それぞれ、異なる色用の複数のＬＥＤをひとつのモジュールにパッケージしたものであり、例えば、赤色と、青色とを選択的に発光できるようになっている。また、調理メニュー選択摘み６は、手動調理の選択も兼用するようになっており、手動調理摘み７及び手動調理用ロータリーエンコーダ７Ａは備えていない。
【００３２】
制御装置１８は、各ＬＥＤ３１〜３６を図１４ないし図１６のように制御する。調理メニュー選択摘み６が回転されると（ステップＶ１）、初期回転方向が右か左かを判断する（ステップＶ２）。右方向回転操作であったとすると、ＬＥＤ３１〜３６を、該右方向回転操作に応じた表示・選択制御を赤色表示で行う（ステップＶ３）。このステップＶ３では、選択対象として前記調理メニューとし、選択対象である調理メニュー群の選択進行状況に応じてＬＥＤ３１〜３６の点灯制御とディスプレイ１０の表示制御を行う。この場合の選択進行状況に応じたＬＥＤ３１〜３６の点灯制御は、図１５のようになる。
【００３３】
図１５（ａ）では、調理メニュー選択摘み６の回転操作に伴う選択進行状況は全体の１／６以下、点灯させるＬＥＤはＬＥＤ３１で且つ発光色は赤色とする。
以下、図１５（ｂ）では、選択進行状況は全体の１／６超〜２／６以下、点灯させるＬＥＤはＬＥＤ３１、３２で且つ発光色は赤色、
図１５（ｃ）では、選択進行状況は全体の２／６超〜３／６以下、点灯させるＬＥＤはＬＥＤ３１、３２、３３で且つ発光色は赤色、
図１５（ｄ）では、選択進行状況は全体の３／６超〜４／６以下、点灯させるＬＥＤはＬＥＤ３１、３２、３３、３４で且つ発光色は赤色、
図１５（ｅ）では、選択進行状況は全体の４／６超〜５／６以下、点灯させるＬＥＤはＬＥＤ３１、３２、３３、３４、３５で且つ発光色は赤色、
図１５（ｆ）では、選択進行状況は全体の５／６超〜６／６、点灯させるＬＥＤはＬＥＤ３１、３２、３３、３４、３５、３６で且つ発光色は赤色である。
【００３４】
前述のステップＶ２で、初期回転方向が左と判断されると、ＬＥＤ３１〜３６を、該左方向回転操作に応じた表示・選択制御を赤色表示で行う（ステップＶ４）。このステップＶ４では、選択対象として、調理メニューと異ならせている（別の選択対象としている）この場合の選択対象は、前記手動調理の「レンジ調理」、「オーブン調理」、「グリル調理」、「スチーム調理」や、その他、「蒸しもの」調理、「のみもの」調理などとしている。そして、選択対象の選択進行状況に応じてＬＥＤ３１〜３６の点灯制御とディスプレイ１０の表示制御を行う。この場合の選択進行状況に応じたＬＥＤ３１〜３６の点灯制御は、図１６のようになる。
【００３５】
図１６（ａ）では、調理メニュー選択摘み６の回転操作に伴う選択進行状況は全体の１／６以下、点灯させるＬＥＤはＬＥＤ３６で且つ発光色は青色とする。
以下、図１６（ｂ）では、選択進行状況は全体の１／６超〜２／６以下、点灯させるＬＥＤはＬＥＤ３６、３５で且つ発光色は青色、
図１６（ｃ）では、選択進行状況は全体の２／６超〜３／６以下、点灯させるＬＥＤはＬＥＤ３６、３５、３４で且つ発光色は青色、
図１６（ｄ）では、選択進行状況は全体の３／６超〜４／６以下、点灯させるＬＥＤはＬＥＤ３６、３５、３４、３３で且つ発光色は青色、
図１６（ｅ）では、選択進行状況は全体の４／６超〜５／６以下、点灯させるＬＥＤはＬＥＤ３６、３５、３４、３３、３２で且つ発光色は赤色、
図１６（ｆ）では、選択進行状況は全体の５／６超〜６／６、点灯させるＬＥＤはＬＥＤ３６、３５、３４、３３、３２、３１で且つ発光色は青色である。
【００３６】
この第３の実施例によれば、前記調理メニュー選択摘み６の初期回転方向に応じて選択対象を異ならせ、且つ、光表示形態（色や、点灯方向）を異ならせたから、調理メニュー選択摘み６の初期回転方向（右回転方向、左回転方向）により、異なる選択対象のどれかを選ぶことができ便利であるとともに、選択摘みの個数の削減も図ることができる。そして、光表示部の相違によりいずれの選択対象分類を選んだかを容易に知ることができる。
【００３７】
図１７ないし図２１は本発明の第４の実施例を示しており、第２の実施例と次の点が異なる。図１７に示すように、調理メニュー選択摘み６の中央部に、押圧操作部４１を押圧操作可能に設けている。この押圧操作部４１は図示しないばねによって元位置に復帰するようになっている。この押圧操作部４１は透光可能な部材によって構成されており、そして、前記ＬＥＤ３１〜３６からの光を前面４１ａから放光できるようになっている。
【００３８】
すなわち、導光部材１６には、出光部１６ｂとは別に内方へ放光するための別の出光部１６ｃが形成されており、そして、調理メニュー選択摘み６の基端部６ａには、別のリング状をなす導光部材４２が一体に形成されている。従って、ＬＥＤ３１〜３６から出た光は、導光部材１６の出光部１６ｂから前方へ出ると共に、別の出光部１６ｃから、導光部材４２を介して、押圧操作部４１に入光し、そして、前面４１ａから前方へ放光されるようになっている。
【００３９】
この場合該押圧操作部４１の前面４１ａには、一部を除いて光遮蔽部４３を設けている。この光遮蔽部４３に図１８に示す星型の抜き孔４３ａが形成されており、該押圧操作部４１の前面４１ａの光遮蔽部４３以外の部位である当該抜き孔４３ａから光を出すようになっている。なお、この前面４１ａのうち当該抜き孔４３ａに対応した部分はシボ加工が施されている。
【００４０】
配線基板１１には、前記押圧操作部４１と対向して、例えばタクトスイッチからなる４１Ａが配設されている。
ＬＥＤ３１〜３６は、それぞれ、異なる色用の複数のＬＥＤをひとつのモジュールにパッケージしたものであり、例えば、赤色と、青色とを選択的に発光できるようになっている。
【００４１】
制御装置１８は、調理メニュー選択摘み６及び前記押圧操作部４１の操作に応じて図２０に示す制御を行う。ステップＷ１では、調理メニュー選択摘み６の回転操作に伴う選択進行状況（１／６ごと）に応じ、ＬＥＤ３１〜３６を制御していく。この第４の実施例では、ＬＥＤ３１〜３６を順次、青色の点滅及び点灯で発光させてゆく（図２１参照）。そして、押圧操作部４１が押し操作されると、ステップＷ３で選択された調理メニューを、実行する調理メニューとして決定する。そして、ステップＷ４で、ＬＥＤ３１〜３６の全部を青色で点灯させる（円形の光表示状態）。
【００４２】
この後、ステップＷ５で、スタートボタン８が操作された（スタートスイッチ８がオンした）ことが判断されると、ステップＷ６で加熱調理を実行する。そして、この加熱調理の実行中は、ステップＷ７で、加熱調理の進行状況を全体所要時間の１／６ごと、前記図２１と同様に、ＬＥＤ３１〜３６を、赤色で点滅点灯して表示してゆく。
【００４３】
そして、ステップＷ８で調理終了が判断されると、ステップＷ９でＬＥＤ３１〜３６全部を点滅させ、図示しないブザーで終了を報知する。
この第４の実施例によれば、前記調理メニュー選択摘み６の中央部に押圧操作部４１を設けたから、選択や決定などの操作事項の増加に対処できるとともに、操作部材の集中配置ができて、操作パネル５における各種部品配置設計の自由度が向上する。
【００４４】
また、この実施例によれば、前記押圧操作部４１を透光可能に構成し、且つ該押圧操作部４１の前面には一部を除いて光遮蔽部４３を設け、該押圧操作部４１の前面の光遮蔽部４３以外の部位から光を出すように構成したから、調理メニュー選択摘み６周囲を柔らかく光表示できるとともに、該調理メニュー選択摘み６の中央部も、押圧操作部４１の前面から光により光表示（前面光表示）でき、しかも該前面光表示は光遮蔽部４３により表示模様を適宜設定できる。
【００４５】
また、この実施例によれば、前記調理メニュー選択摘み６の回転操作に基づいて選択対象である調理メニューを選択し、選択された調理メニューを前記押圧操作部４１の押圧操作に基づいて決定するようにしたから、調理メニューの選択から決定までの操作を、一箇所で容易且つ簡単に行うことができる。
【００４６】
またこの実施例によれば、前記調理メニューの選択時と決定時とで光表示形態を異ならせたから、操作内容を光表示形態の相違で知ることができ、調理メニューの選択及び決定の操作が容易となる。この場合、光表示形態の異ならせ方としては赤色表示及び青色表示の同時点灯又は同時点滅、交互点灯又は交互点滅などでも良い。また、表示色としては、赤色、青色に限られるものではない。
【００４７】
また、この実施例によれば、調理メニュー選択時、調理動作時、調理終了時の全部において光表示形態を異ならせたから、選択対象選択、調理動作、調理終了といった進行状況を容易に知ることができる。なお、調理メニュー選択時、調理動作時、調理終了時のいずれかにおいて光表示形態を異ならせるようにしても良い。
【００４８】
その他、本発明は上記した各実施例に限定されるものではなく、次のように変更して実施しても良い。
［１］本発明の第５の実施例として示す図２２のように、押圧操作部４１はスタートボタンとして用いるようにしても良く、この場合、光遮蔽部４３の抜き孔４３ａは「スタート」といった文字とすると良い。
【００４９】
［２］本発明の第６の実施例として示す図２３のように、調理メニュー選択摘み６の広がり部６ｃは断面直線状でも良い。この構成としても、調理メニュー選択摘み６の周囲を光表示するについて横から見ることができるとともに、また正面からでも見ることができしかも柔らかい光表示となって見やすくできる。
［３］本発明の第７の実施例として示す図２４のように、操作パネル５が扉３側ではなく、該扉３横の前面に位置する構成でも良い。
［４］選択対象としては調理メニューや手動調理に限られず、調理時間や調理温度でも良い。
【図面の簡単な説明】
【００５０】
【図１】本発明の第１の実施例を示す調理メニュー選択摘み部分の横断平面図
【図２】加熱調理器全体の正面図
【図３】導光部材部分の正面図
【図４】電気的構成のブロック図
【図５】光表示を説明するための調理メニュー選択摘み部分の正面図
【図６】制御内容のフローチャート
【図７】本発明の第２の実施例を示す図１相当図
【図８】図３相当図
【図９】制御内容のフローチャート
【図１０】ステップＴ１の制御内容のフローチャート
【図１１】（ａ）〜（ｆ）は光表示形態の変化を示す図
【図１２】本発明の第３の実施例を示す図２相当図
【図１３】図４相当図
【図１４】制御内容のフローチャート
【図１５】（ａ）〜（ｆ）は右回転操作時の光表示形態の変化を示す図
【図１６】（ａ）〜（ｆ）は左回転操作時の光表示形態の変化を示す図
【図１７】本発明の第４の実施例を示す図１相当図
【図１８】調理メニュー選択摘みの正面図
【図１９】電気的構成のブロック図
【図２０】制御内容のフローチャート
【図２１】（ａ）〜（ｆ）は光表示形態の変化を示す図
【図２２】本発明の第５の実施例を示す図１８相当図
【図２３】本発明の第６の実施例を示す図１相当図
【図２４】本発明の第７の実施例を示す図２相当図
【符号の説明】
【００５１】
図面中、１は加熱調理器、３は扉、５は操作パネル、６は調理メニュー選択摘み（操作摘み）、６ｃは広がり部、１０はディスプレイ、１２は調理メニュー用ロータリーエンコーダ、１３は反射部、１４、１５はＬＥＤ（光源）、１６は導光部材、１６ｂは出光部、１８は制御装置、３１〜３６はＬＥＤ、４１は押圧操作部、４２は導光部材、４３は光遮蔽部を示す。
【図１】
2009014235.tif 000003
【図２】
2009014235.tif 000004
【図３】
2009014235.tif 000005
【図４】
2009014235.tif 000006
【図５】
2009014235.tif 000007
【図６】
2009014235.tif 000008
【図７】
2009014235.tif 000009
【図８】
2009014235.tif 000010
【図９】
2009014235.tif 000011
【図１０】
2009014235.tif 000012
【図１１】
2009014235.tif 000013
【図１２】
2009014235.tif 000014
【図１３】
2009014235.tif 000015
【図１４】
2009014235.tif 000016
【図１５】
2009014235.tif 000017
【図１６】
2009014235.tif 000018
【図１７】
2009014235.tif 000019
【図１８】
2009014235.tif 000020
【図１９】
2009014235.tif 000021
【図２０】
2009014235.tif 000022
【図２１】
2009014235.tif 000023
【図２２】
2009014235.tif 000024
【図２３】
2009014235.tif 000025
【図２４】
2009014235.tif 000026